(57)【特許請求の範囲】
【請求項１】
略直方体形状の振動部と、前記振動部の縁部に沿って前記振動部より上下方向の厚みが薄い周辺部とから構成され、平面視して略矩形形状の水晶片と、
前記振動部に設けられている一対の励振電極部と、
前記水晶片の所定の一辺に沿って並んで設けられている一対の引出部と、
前記励振電極部と前記引出部とを電気的に接続している配線部と、
からなる水晶素子であって、
前記水晶素子を平面視して、
前記引出部が略矩形形状となっており、
前記水晶片の所定の一辺に平行な前記振動部の辺上に、前記振動部で生じる屈曲振動の節が位置しており、
前記水晶片の所定の一辺に平行な前記振動部の二辺間の距離が、前記振動部で生じる屈曲振動の波長の整数倍となっており、
前記所定の一辺に平行な前記引出部の二辺のうち前記振動部側に位置している前記引出部の一辺と、前記所定の一辺に平行な前記振動部の二辺のうち前記引出部側に位置している前記振動部の一辺との距離が、前記振動部で生じる屈曲振動の波長の整数倍となっている厚みすべり水晶素子。
【請求項２】
請求項１に記載の厚みすべり水晶素子であって、
前記水晶素子を平面視して、
前記水晶片の前記所定の一辺と、前記所定の一辺に平行な前記振動部の二辺のうち前記所定の一辺側に位置している前記振動部の一辺との距離が、前記振動部で生じる屈曲振動の波長の整数倍となっている厚みすべり水晶素子。
【請求項３】
請求項２に記載の厚みすべり水晶素子であって、
前記水晶素子を平面視して、
前記水晶片の前記所定の一辺と、前記所定の一辺に平行な前記所定の他の一辺との距離が、前記振動部で生じる屈曲振動の波長の整数倍となっている厚みすべり水晶素子。
【請求項４】
請求項１乃至請求項３に記載の厚みすべり水晶素子であって、
前記水晶素子を平面視して、
前記水晶片の中心が前記振動部の中心より前記水晶片の前記所定の一辺側に位置しており、
前記振動部の中心と前記水晶片の前記所定の一辺に平行な前記振動部の辺との距離が、前記振動部で生じる屈曲振動の波長の整数倍となっている厚みすべり水晶素子。
【請求項５】
請求項１乃至請求項４に記載の厚みすべり水晶素子であって、
前記水晶素子を平面視して、
前記励振電極部が略矩形形状となっており、
前記水晶片の前記所定の一辺に平行な前記励振電極部の二辺間の距離が、前記振動部で生じる屈曲振動の整数倍となっている厚みすべり水晶素子。
【請求項６】
請求項５に記載の厚みすべり水晶素子であって、
前記水晶素子を平面視して、
前記励振電極部が前記振動部の内側に設けられ、前記振動部の一部が露出しており、
前記露出している前記振動部を挟むように位置している前記励振電極部と前記振動部の辺の距離が、前記振動部で生じる屈曲振動の波長の整数倍となっている厚みすべり水晶素子。
【請求項７】
請求項６に記載の厚みすべり水晶素子であって、
前記水晶素子を平面視して、
前記振動部の中心が、前記励振電極部の中心より前記水晶片の前記所定の一辺側に位置しており、
前記励振電極部の中心と前記水晶片の前記所定の一辺に平行な前記振動部の辺との距離が、前記振動部で生じる屈曲振動の波長の整数倍となっている厚みすべり水晶素子。
【発明の詳細な説明】
【技術分野】
【０００１】
本発明は、メサ型の水晶片を用いた水晶素子であって、特に、主振動が厚みすべり振動である厚みすべり水晶素子に関する。
【背景技術】
【０００２】
水晶素子は、例えば、水晶片、励振電極部、引出部および配線部から構成されている。水晶片は、振動部と周辺部とからなり、略直方体形状の振動部の縁部に沿って周辺部が一体的に設けられている。このとき、振動部の上下方向の厚みと周辺部の上下方向の厚みは異なっており、振動部の上下方向の厚みが周辺部の上下方向の厚みより厚くなっている。このような水晶片は、互いに直交しているＸ軸とＹ軸とＺ軸とからなる結晶軸を有した水晶部材をフォトリソグラフィー技術およびエッチング技術を用いて、振動部および周辺部が一体的になるように形成されている。
【０００３】
このような厚みすべり水晶素子は、一対の励振電極部に電圧が印加されると、一対の励振電極部に挟まれている振動部の一部が、逆圧電効果および圧電効果により、Ｘ軸に平行なすべりが主力変位である厚みすべり振動を開始する（例えば、特許文献１参照）。
【０００４】
一対の励振電極部に電圧が印加されたとき、厚みすべり水晶素子では、主振動である厚みすべり振動だけでなく、同時に、屈曲振動が副次的に生じている。副次的な振動である屈曲振動は、主力変位がＸ軸と平行な向きとなっており、主振動である厚みすべり振動の主力変位と同じ方向に変位しており、主振動である厚みすべり振動と結合しやすい。また、屈曲振動は、厚みすべり水晶素子が小型化した場合、低い次数の振動モードで振動するため、厚みすべり振動へ与える影響が大きくなる傾向がある。近年の水晶デバイスの小型化に伴い、厚みすべり振動素子も小型化が進んでおり、副次的な振動である屈曲振動が主振動である厚みすべり振動へ与える影響を低減させる必要がある。
【先行技術文献】
【特許文献】
【０００５】
【特許文献１】特開２０１３−１４６００２号公報
【発明の概要】
【発明が解決しようとする課題】
【０００６】
従来の厚みすべり水晶素子は、振動部と周辺部とで上下方向の厚みが異なっているため、振動部と周辺部との境界部分において、振動の状態が異なる構成となっている。このため、従来の厚みすべり水晶素子では、振動部と周辺部との境界部分において、副次的な振動である屈曲振動の反射のされ方が不安定となり、副次的な振動である屈曲振動が主振動である厚みすべり振動に与える影響が大きくなり、その結果、周波数安定度の悪化や、等価直列抵抗値の増大といった電気的特性が悪化してしまう虞がある。
【０００７】
本発明では、上下方向の厚みが異なる振動部と周辺部とを備えている水晶片において、振動部と周辺との境界における屈曲振動の反射における影響を抑え、電気的特性が悪化することを低減させることができる厚みすべり水晶素子を提供することを目的とする。
【課題を解決するための手段】
【０００８】
前述した課題を解決するために、本発明に係る厚みすべり水晶素子は、略直方体形状の振動部と、振動部の縁部に沿って振動部より上下方向の厚みが薄い周辺部とから構成され、平面視して略矩形形状の水晶片と、振動部に設けられている一対の励振電極部と、水晶片の所定の一辺に沿って並んで設けられている一対の引出部と、励振電極部と引出部とを電気的に接続している配線部と、からなる水晶素子であって、水晶素子を平面視して、引出部が略矩形形状となっており、水晶片の所定の一辺に平行な前記振動部の辺上に、振動部で生じる屈曲振動の節が位置しており、水晶片の所定の一辺に平行な振動部の二辺間の距離が、振動部で生じる屈曲振動の波長の整数倍となっており、所定の一辺に平行な引出部の二辺のうち振動部側に位置している引出部の一辺と、所定の一辺に平行な振動部の二辺のうち引出部側に位置している振動部の一辺との距離が、振動部で生じる屈曲振動の波長の整数倍となっている。
【発明の効果】
【０００９】
本発明に係る厚みすべり水晶素子は、略直方体形状の振動部と、振動部の縁部に沿って振動部より上下方向の厚みが薄い周辺部とから構成され、平面視して略矩形形状の水晶片と、振動部に設けられている一対の励振電極部と、水晶片の所定の一辺に沿って並んで設
けられている一対の引出部と、励振電極部と引出部とを電気的に接続している配線部と、からなる水晶素子であって、水晶素子を平面視して、引出部が略矩形形状となっており、水晶片の所定の一辺に平行な前記振動部の辺上に、振動部で生じる屈曲振動の節が位置しており、水晶片の所定の一辺に平行な振動部の二辺間の距離が、振動部で生じる屈曲振動の波長の整数倍となっており、所定の一辺に平行な引出部の二辺のうち振動部側に位置している引出部の一辺と、所定の一辺に平行な振動部の二辺のうち引出部側に位置している振動部の一辺との距離が、振動部で生じる屈曲振動の波長の整数倍となっている。従って、本発明に係る厚みすべり水晶素子は、振動部と周辺部の上下方向の厚みが異なっているため、副次的な振動である屈曲振動の振動状態が異なる振動部と周辺部との境界部分に、屈曲振動の節となる部分が位置することとなる。このため、本発明に係る厚みすべり水晶素子では、振動部と周辺部の上下方向の厚みが異なっているため、副次的な振動である屈曲振動の振動状態が異なる振動部と周辺部との境界部分における屈曲振動の反射の影響を低減させることが可能となり、結果、周波数安定度の悪化や等価直列抵抗値の増大といった電気的特性が悪化することを低減させることができる。
【図面の簡単な説明】
【００１０】
【図１】本発明の第一実施形態に係る水晶素子の平面図である。
【図２】図１のＣＬ１１での断面図である。
【図３】本発明の第一実施形態に係る水晶素子であって、位置関係を説明するための説明図である。
【図４】本発明の第一実施形態に係る水晶素子を水晶デバイスに用いた場合の、水晶デバイスの斜視図である。
【図５】図４のＡ−Ａ断面における断面図である。
【図６】本発明の第二実施形態に係る水晶素子の平面図である。
【図７】図４のＣＬ２１での断面図である。
【図８】本発明の第二実施形態に係る水晶素子であって、位置関係を説明するための説明図である。
【発明を実施するための形態】
【００１１】
（第一実施形態）
第一実施形態に係る厚みすべり水晶素子１２０（以下、「厚みすべり」を省略して「水晶素子１２０」とする。）は、図１〜図３に示したように、安定した機械振動を得ることができ、電子機器等の基準信号を発信するためのものである。水晶素子１２０は、振動部１２２および周辺部１２３からなる水晶片１２１と、この水晶片１２１の表面に設けられている金属パターン１２４と、から構成されている。このとき、金属パターン１２４は、一対の励振電極部１２５、一対の引出部１２６および一対の配線部１２７から構成されている。
【００１２】
次に、このような水晶素子１２０を水晶デバイスとして用いる場合、図４および図５に示したように、水晶素子１２０は、水晶素子１２０の金属パターン１２４の一部、具体的には、引出部１２６が、導電性接着剤１４０によって基板部１１０の上面に設けられている搭載パッド１１１と電気的に接着され、基板部１１０の上面に実装される。この基板部１１０の上面に実装された水晶素子１２０は、基板部１１０と蓋体１３０とで形成される空間、具体的には、蓋体１３０の凹部１３１内に、収納され気密封止される。このとき、基板部１１０と蓋体１３０とは接合部材１５０により接合されている。基板部１１０の下面に設けられている外部端子１１２の所定の二つが基板部１１０の上面に設けられている搭載パッド１１１と電気的に接続されており、結果、基板部１１０の下面に設けられている外部端子１１２の所定の二つと水晶素子１３０の金属パターン１２４とが導電性接着剤１４０を介して電気的に接続された状態となっている。
【００１３】
水晶片１２１は、安定した機械振動をする圧電材料が用いられ、例えば、互いに直交しているＸ軸とＹ軸とＺ軸とからなる結晶軸を有している水晶部材が用いられる。また、水晶片１２１は、図１および図３に示したように、水晶片１２１の上面を平面視して、略矩形形状となっており、長辺がＸ軸と平行となっており、短辺がＺ´軸と平行となっている。また、水晶片１２１は、図１〜図３に示したように、振動部１２２と、振動部１２２の縁部に沿って振動部１２２より上下方向の厚みが薄い周辺部１２３と、から構成されている。水晶片１２１は、フォトリソグラフィー技術およびエッチング技術によって、振動部１２２および周辺部１２３が一体的に形成されている。
【００１４】
ここで、図１および図３に示したように、水晶片１２１の上面を平面視して、水晶片１２１の一方の短辺の中点Ｍ１１を通過する垂線を仮想垂線ＣＬ１１とする。仮想垂線ＣＬ１１は、水晶片１２１の長辺と平行になっており、Ｘ軸と平行となっている。また、水晶片１２１の一方の短辺を、一対の引出部１２６が縁部に沿って並んで設けられている水晶片１２１の所定の一辺とする。また、この水晶片１２１の他方の短辺を水晶片１２１の所定の他の一辺とする。
【００１５】
水晶片１２１は、水晶片１２１の上面を平面視して、仮想垂線ＣＬ１１に対してほぼ線対称となっている。また、水晶片１２１は、水晶片１２１の上面を平面視して、水晶片１２１の中心Ｃ１１が仮想垂線ＣＬ１１上に位置している。
【００１６】
ここで、「ほぼ線対称」とは、フォトリソグラフィー技術およびエッチング技術により水晶片１２１を形成しているため、結晶軸との位置関係によってエッチング残渣が生じ完全な線対称とならない。このため、本実施形態では、「ほぼ線対称」とは、水晶片１２１の上面を平面視したとき、エッチング残渣を含まない水晶片１２１の外縁となる部分で線対称となっている状態のことを指している。
【００１７】
振動部１２２は、周辺部１２３と一体的に形成されている。振動部１２２は、振動部１２２の上面および振動部１２２の下面（振動部１２２の両主面）が、水晶部材の結晶軸のＸ軸およびＺ軸に平行となっている面を、Ｘ軸を中心に、Ｘ軸の負の方向を見て反時計回りに回転させた面と平行となっている。振動部１２２の上面および振動部１２２の下面は、例えば、水晶部材のＸ軸およびＺ軸に平行な面を、Ｘ軸を中心に、Ｘ軸の負の方向を見て反時計回りに、３０〜５０°回転させた面と平行となっている。
【００１８】
ここで、図５に示したように、水晶素子１２０を水晶デバイスとして用いる場合に、水晶素子１２０を基板部１１０に実装したとき、基板部１１０の上面を向く振動部１２２の面を振動部１２２の下面とし、振動部１２２の下面と反対側を向く振動部１２２の面を振動部１２２の上面とする。また、振動部１２２の上面および振動部１２２の下面を振動部１２２の両主面とする。
【００１９】
振動部１２２は、水晶片１２１の上面を平面視して、略矩形形状となっており、仮想垂線ＣＬ１１（水晶片１２１の一方の短辺の中心Ｍ１１を通過する一方の短辺の垂線）に対して、線対称となっている。振動部１２２の中心Ｃ１２は、水晶片１２１の上面を平面視して、仮想垂線ＣＬ１１上に位置しており、水晶片１２１の中心Ｃ１１と重ならない位置に位置している。このとき、水晶片１２１の中心Ｃ１１が振動部１２２の中心Ｃ１２と比較して、水晶片１２１の一方の短辺側に位置している。従って、水晶片１２１の上面を平面視して、振動部１２２の中心Ｃ１２から一方の短辺までの距離は、水晶片１２１の中心Ｃ１１から一方の短辺までの距離と比較して、長くなっている。このような構成にすることで、図５に示したように、水晶素子１２０を水晶デバイスとして用いる場合、水晶片１２１の一方の短辺の両端部が導電性接着剤１４０により接着される状態となるため、導電性接着剤１４０から振動部１２１の中心Ｃ１２までの距離を、水晶片の中心と振動部の中心とが一致している場合と比較して、長くすることができる。このため、導電性接着剤１４０により接着することによる振動部１２２の振動阻害を低減させることができ、振動阻害による等価直列抵抗が大きくなるといった電気的特性の悪化を低減させることが可能となる。
【００２０】
振動部１２２は、その両主面に金属パターン１２４、具体的には、一対の励振電極部１２５が設けられている。従って、金属パターン１２４に電圧を印加し水晶片１２１の一部を振動させる場合、振動部１２２の一部が最も振動する構成となっている。金属パターン１２４に電圧が印加されたとき、一対の励振電極部１２５に挟まれている振動部１２２の一部には、主振動である厚みすべり振動と副次的な振動である屈曲振動とが生じている。厚みすべり振動は、主力変位がＸ軸に平行な向きとなっている。屈曲振動は、厚みすべり振動と同じく、主力変位がＸ軸と平行な向きとなっている。また、屈曲振動は、水晶片１２１のＸ軸に平行な向きの長さと関係しており、Ｘ軸に平行な向きの長さが小さくなることで、屈曲振動の振動次数が低くなる。一般的に、屈曲振動の振動次数が低い程、厚みすべり振動は、屈曲振動の影響を受けやすくなる。
【００２１】
振動部１２２は、その外縁に沿って周辺部１２３（１２３ａ，１２３ｂ）が設けられている。周辺部１２３は、金属パターン１２４に電圧を印加したときに振動部１２２へ振動エネルギーを集中させつつ、水晶素子１２０を基板部１１０に実装したときに実装による厚みすべり振動へ影響を低減させるためのものである。周辺部１２３は、振動部１２２の縁部に沿って環状に設けられており、その上下方向の厚みが振動部１２２の上下方向の厚みより薄くなっている。周辺部１２３は、図１〜図３に示したように、振動部１２２の外縁に沿って設けられている傾斜部１２３ａと、傾斜部１２３ａの外縁に沿って設けられている平板部１２３ｂと、から構成されている。
【００２２】
傾斜部１２３ａは、振動部１２２の外縁に沿って設けられている。また、傾斜部１２３ａは、その上下方向の厚みが振動部１２２から平板部１２３ｂに向かうにつれて徐々に薄くなっている。傾斜部１２３ａは、結晶軸の軸方向によってエッチングのされやすさが異なることを利用し、振動部１２２と平板部１２３ｂとの間に形成している。このように、振動部１２２と平板部１２３ｂとの間に傾斜部１２３ａを設けることで、導電性接着剤１４０を用いて水晶素子１２０を基板部１１０に実装する際に、平板部１２３ｂを導電性接着材１４０で接着することによる振動部１２２への影響を低減させることができる。なお、水晶片１２１の上面を平面視したときの傾斜部１２３ａの幅はすべて同じ幅とはなっておらず、場所によって異なっている。また、傾斜部１２３ａの傾斜角度も、場所によって異なっている。本実施形態の図面では、説明を簡略させるために、水晶片１２１を平面視したとき、傾斜部１２３ａの幅が同じとなっている状態を図示し、説明している。
【００２３】
水晶片１２１は、振動部１２２の両主面に励振電極部１２５が設けられているので、金属パターン１２４に電圧を印加したとき、逆圧電効果および圧電効果により励振電極部１２５に挟まれている部分が最も振動する。このとき、水晶片１２１は、励振電極部１２５に挟まれている部分だけでなく、励振電極部１２５に挟まれている部分から挟まれていない部分へ振動が伝搬している状態、つまり、振動エネルギーが漏れているとなっている。水晶片１２１は、振動部１２２と、振動部１２２より上下方向の厚みが薄い周辺部１２３と、から構成されているので、金属パターン１２４に電圧を印加し水晶片１２１の一部を振動させたときに、振動の状態を、振動部１２２と周辺部１２３との境界部分において振動状態を大きく変化させることが可能となる。従って、このような構成にすることで、平板状の水晶片を用いた場合と比較して、振動部１２２にのみ振動エネルギーが漏れる量を低減させることができる。この結果、このような水晶片１２１を用いた水晶素子１２０では、振動エネルギーの漏れにより等価直列抵抗値が大きくなるといった電気的特性の悪化を低減させることが可能となる。
【００２４】
水晶片１２１は、水晶片１２１の上面を平面視したとき、水晶片１２１の所定の一辺に平行な振動部１２２の辺上に、振動部１２２で生じる屈曲振動の節が位置しており、水晶片１２１の一方の短辺に平行な振動部１２２の二辺の距離が、振動部１２２で生じる屈曲振動の波長の整数倍となっている。別の観点では、水晶片１２１の上面を平面視したとき、Ｘ軸に平行な振動部１２２の長さが、振動部１２２で生じる屈曲振動の波長の整数倍となっている。このようにすることで、金属パターン１２４に電圧を印加したとき、振動部１２２と周辺部１２３との境界部分に副次的な振動である屈曲振動の節となるようにすることができる。このため、振動部１２２と周辺部１２３との境界部分において屈曲振動の反射等の影響を低減させることが可能となり、周波数安定度の悪化や等価直列抵抗値の増大といった電気的特性が悪化することを低減させることができる。
【００２５】
また、水晶片１２１は、水晶片１２１の上面を平面視したとき、水晶片１２１の一方の短辺と水晶片１２１の一方の短辺を向く振動部１２２の辺との距離が、振動部１２２で生じる屈曲振動の波長の整数倍となっている。このようにすることで、金属パターン１２４に電圧を印加し、副次的な振動である屈曲振動が水晶片１２１の一方の短辺にまで生じた場合であっても、水晶片１２１の一方の短辺に沿った縁部に屈曲振動の節が位置するようにすることができる。このため、水晶片１２１の一方の短辺に沿った縁部において副次的な振動である屈曲振動の反射等の影響を低減させることが可能となり、周波数安定度の悪化や等価直列抵抗値の増大といった電気的特性が悪化することを低減させることができる。また、水晶片１２１で振動が生じているときの振動エネルギーに着目した場合、水晶片１２１の一方の短辺に沿った縁部に副次的な振動である屈曲振動の節が位置することは、例えば、副次的な振動である屈曲振動の腹が位置する場合と比較して、屈曲振動の振動エネルギーを振動部１２２により集中させることができるため、振動部１２２により大きな振動エネルギーを集中させることができる。さらに、振動部１２２の縁部に沿って環状に形成されて周辺部１２３で振動エネルギーをより低減させることもできる。特に、傾斜部１２３ａでの振動エネルギーを低減させることができることにより、傾斜部１２３ａの形状に基く屈曲振動の反射における主振動である厚みすべり振動への影響をより低減させ、電気的特性が悪化することをより低減させることが可能となる。
【００２６】
また、水晶片１２１は、水晶片１２１の上面を平面視したとき、水晶片１２１の一方の短辺と水晶片１２１の一方の短辺を向く振動部１２２の辺との距離が、振動部１２２で生じる屈曲振動の波長の整数倍となっている。このようにすることで、金属パターン１２４に電圧を印加し、副次的な振動である屈曲振動が水晶片１２１の一方の短辺にまで生じた場合であっても、水晶片１２１の一方の短辺に沿った縁部に屈曲振動の節が位置するようにすることができる。このため、このような水晶片１２１を水晶デバイスとして用いる場合、水晶片１２１の一方の短辺の両端部が導電性接着剤１４０で接着されることとなるので、金属パターン１２４に電圧を印加したときに、副次的な振動である屈曲振動により導電性接着剤１４０に加わる応力を低減させることが可能となる。この結果、導電性接着剤１４０に応力が加わることによる導通不良を低減させることができる。
【００２７】
また、水晶片１２１は、水晶片１２１の上面を平面視したとき、水晶片１２１の所定の一辺と、所定の一辺に平行な所定の他の一辺との距離が、振動部１２２で生じる屈曲振動の波長の整数倍となっている。つまり、水晶片１２１は、水晶片１２１の上面を平面視したとき、水晶片１２１の短辺間の距離が、振動部１２２で生じる屈曲振動の波長の整数倍となっている。このようにすることで、金属パターン１２４に電圧を印加し、副次的な振動である屈曲振動が水晶片１２１の短辺にまで生じた場合であって、水晶片１２１の端部に屈曲振動の節となるようにすることができる。このため、水晶片１２１の端部（水晶片１２１の短辺に沿った縁部）において、屈曲振動の反射等の影響を低減させることが可能となり、周波数安定度の悪化や等価直列抵抗値の増大といった電気的特性が悪化することを低減させることができる。
【００２８】
また、水晶片１２１は、水晶片１２１の上面を平面視して、振動部１２１の中心Ｃ１２と、水晶片１２１の所定の一辺に平行な振動部１２２の辺との距離が、振動部１２２で生じる屈曲振動の波長の整数倍となっている。このようにすることで、金属パターン１２４に電圧を印加し、副次的な振動である屈曲振動が生じた場合、水晶片１２１の所定の一辺に平行な振動部１２２の辺に沿った縁部および振動部１２２の中心Ｃ１２の中心付近に、屈曲振動の節となるようにすることができる。金属パターン１２４に電圧を印加したとき、金属パターン１２４に挟まれている部分、具体的には、励振電極部１２５に挟まれている振動部１２２の部分が最も振動する構成となっているので、主振動である厚みすべり振動は、励振電極部１２５に挟まれている振動部１２２の部分が最も振動することとなっているので、振動部１２２の中心Ｃ１２の中心付近に屈曲振動の節となる位置に設けることにより、副次的な振動である屈曲振動が主振動である厚みすべり振動へ与える影響を低減させることが可能となる。この結果、副次的な振動である屈曲振動の影響で、周波数安定度の悪化や等価直列抵抗値の増大といった電気的特性の悪化を低減させることができる。
【００２９】
ここで、水晶片１２１の各寸法について説明する。水晶片１２１は、平面視して、略矩形形状となっており、長辺の寸法が、０．５〜３．２ｍｍとなっており、短辺の寸法が、０．２〜２．５ｍｍとなっている。振動部１２２は、平面視して、略矩形形状となっており、水晶片１２１の長辺に平行な寸法（Ｘ軸に平行な寸法）が、０．３〜２．７ｍｍとなっており、水晶片１２１の短辺に平行な寸法（Ｚ´軸に平行な寸法）が０．２〜２．４ｍｍとなっている。また、振動部１２２は、その上下方向の厚みが、３０〜１６７μｍとなっている。周辺部１２３の一部である平板部２３ｂは、その上下方向の厚みが、２７．３０〜１５１．８２μｍとなっている。
【００３０】
ここで、このような水晶片１２１の形成方法について説明する。このような水晶片１２１の形成方法は、例えば、水晶ウエハ用意工程、第一エッチング工程および第二エッチング工程から構成される。水晶ウエハ用意工程では、まず、互いに直交しているＸ軸とＹ軸とＺ軸とからなる結晶軸を有した水晶ウエハを用意する。このとき、水晶ウエハの上下方向の厚みは、振動部１２２の上下方向の厚みとなっている。また、水晶ウエハのカットアングルは、水晶ウエハの両主面が振動部１２２の両主面と同じアングルとなるようになっている。従って、水晶ウエハの主面は、Ｘ軸とＺ軸とに平行になっている面を、Ｘ軸を中心に、Ｘ軸の負の方向を見て反時計回りに所定の角度回転させた面と平行となっている。第一エッチング工程では、フォトリソグラフィー技術およびエッチング技術が用いられる。まず、所定の水晶ウエハウエハの両主面上に保護金属膜が設けられ、この保護金属膜上に感光性レジストが塗付され、所定のパターンに露光、現像される。その後、所定のエッチング溶液に浸漬させ、露出している水晶ウエハをエッチングする。最後に、水晶ウエハに残っている感光性レジストおよび保護金属膜を剥離させる。このとき、水晶ウエハは、平面視して略矩形形状の水晶板の一部が水晶ウエハに連結された状態となっている。第二エッチング工程では、第一エッチング工程後の水晶ウエハの両主面に保護金属膜を設け、保護金属膜上に感光性レジストを塗布し、所定のパターンに露光、現像する。その後、所定のエッチング溶液に浸漬させ、水晶ウエハをエッチングする。このとき、水晶ウエハの水晶片１２１となる部分の周辺部１２３となる部分がエッチングされ、振動部１２２と周辺部１２３とからなる水晶片１２１の一部が水晶ウエハに連結された状態となっている。このようにすることで、水晶片１２１となる部分の一部が連結されている水晶ウエハを形成することができる。なお、ここでは、第二エッチング工程で周辺部１２３となる部分をエッチングし水晶片１２１となる部分を形成しているが、第一エッチン工程で周辺部１２３となる部分をエッチングしてもよい。
【００３１】
このような水晶片１２１に設けられている金属パターン１２４は、水晶片１２１の外部から電圧を印加するためのものである。金属パターン１２４は、励振電極部１２５、引出部１２６および配線部１２７から構成されている。金属パターン１２４は、一層となっていてもよいし、複数の金属層が積層されていてもよい。金属パターン１２４は、特に図示しないが、例えば、第一金属層と、第一金属層上に積層されている第二金属層と、からなる。第一金属層は、水晶と密着性のよい金属が用いられ、例えば、ニッケル、クロム、ニクロムまたはチタンのいずれか一つが用いられる。水晶と密着性のよい金属を用いることで、水晶に密着しにくい金属材料を第二金属層に用いることが可能となる。第二金属層は、金属材料の中で比較的、電気抵抗率が低く、安定した金属材料が用いられる。第二金属層は、例えば、金、金を含む合金、銀、銀を含む合金のいずれか一つが用いられる。このように、金属材料の中で比較的、電気抵抗率が低い金属材料を用いることで、金属パターン１２４自身の電気抵抗を低くすることができ、この結果、水晶素子１２０の等価直列抵抗値が大きくなることを低減させることが可能となる。また、安定した金属材料を用いることで、水晶素子１２０の周囲の環境と反応、具体的には、酸化または硫化し、反応により金属パターン１２４の重さが変化し、水晶素子１２０の周波数が変化することを低減させることが可能となる。
【００３２】
励振電極部１２５は、振動部１２２に電圧を印加するためのものである。励振電極部１２５は、一対となっており、振動部１２２の両主面に互いに対向するように設けられている。従って、一対の励振電極部１２５に電圧が印加されると、一対の励振電極部１２５に挟まれている振動部１２２の一部分が最も振動することとなる。特に、主振動である厚みすべり振動は、水晶素子１２０を平面視して、励振電極部１２５の中心Ｃ１３で最も振動変位が大きくなっている。
【００３３】
励振電極部１２５は、水晶素子１２０の上面を平面視して、略矩形形状となっている。また、励振電極部１２５の大きさは、振動部１２２の上面の大きさより小さくなっており、振動部１２２の一部が露出した状態となっている。
【００３４】
励振電極部１２５の中心Ｃ１３は、水晶素子１２０の上面を平面視して、仮想垂線ＣＬ１１（水晶片１２１の所定の一辺の中点Ｍ１１を通過する所定の一辺の垂線）上に位置しつつ、振動部１２２の中心Ｃ１２と重なる位置に位置している。従って、励振電極部１２５の中心Ｃ１３は、水晶素子１２０の上面を平面視したとき、水晶片１２１の中心Ｃ１１とは重なる位置に位置しておらず、励振電極部１２５の中心Ｃ１３から水晶片１２１の所定の一辺までの距離が水晶片１２１の中心Ｃ１１から水晶片１２１の所定の一辺までの距離と比較して長くなるように位置している。このような構成にすることで、水晶片１２１の一方の短辺の両端部を導電性接着剤１４０で接着し、水晶素子１２０を水晶デバイスとして用いる場合、最も振動変位の大きい励振電極部１２５の中心を導電性接着剤１４０で接着される部分から離れるようにすることができる。この結果、導電性接着剤１４０による影響、具体的には、導電性接着剤１４０で接触することによる主振動である厚みすべり振動への振動阻害を低減させることができ、等価直列抵抗値が大きくなることを低減させることが可能となる。
【００３５】
励振電極部１２５は、水晶素子１２０の上面を平面視して、仮想垂線ＣＬ１１（水晶片１２１の一方の短辺の中点Ｍ１１を通過する一方の短辺の垂線）に対し、線対称となっている。このような構成にすることで、励振電極部１２５に電圧を印加したとき、励振電極部１２５に蓄えられる電荷も仮想垂線ＣＬ１１に対し線対称となり、励振電極部１２５に挟まれている振動部１２２の一部を振動させるための振動エネルギーを仮想垂線ＣＬ１１に対し線対称に分布させることができる。このため、励振電極部１２５に電圧を印加したとき、振動バランス（振動の状態）を仮想垂線ＣＬ１１に対し線対称となるように分布させることができ、印加する電圧に対し効率よく振動させることができ、等価直列抵抗値が大きくなるといった電気的特性の悪化を低減させることが可能となる。
【００３６】
引出部１２６は、水晶素子１２０を水晶デバイスとして用いる場合、基板部１１０に実装するためのものである。引出部１２６は、水晶素子１２０を水晶デバイスとして用いる場合、基板部１１０の上面に設けられている搭載パッド１１１に、導電性接着剤１４０により接着されている。引出部１２６は、一対となっており、水晶片１２１の下面の所定の一辺の縁部に沿って二つ並んで設けられている。また、引出部１２６は、水晶素子１２０の下面を平面視したとき、略矩形形状となっている。
【００３７】
配線部１２７は、励振電極部１２５と引出部１２６とを電気的に接続するためのものである。配線部１２７は、水晶片１２１の表面に設けられている。
【００３８】
水晶素子１２０は、水晶素子１２０の上面を平面視して、水晶片１２１の所定の一辺に平行な励振電極部１２５の二辺間の距離が、金属パターン１２４に電圧を印加したときに振動部１２２で生じる屈曲振動の波長の整数倍となっている。このようにすることで、水晶片１２１の所定の一辺に平行な励振電極部１２５の辺の縁部に、屈曲振動の節となるようにすることができる。従って、金属パターン１２４に電圧を印加したとき、励振電極部１２５に挟まれている振動部１２２の一部と励振電極部１２５に挟まれていない、つまり、露出している振動部１２２の一部との境界では、主振動である厚みすべり振動の振動状態が変化しているので、振動状態の変化する境界部分に屈曲振動の節となる部分が位置するようにしている。このため、副次的な振動である屈曲振動が主振動である厚みすべり振動へ与える影響を低減させることができ、周波数安定度の悪化や等価直列抵抗値の増大といった電気的特性の悪化を低減させることが可能となる。
【００３９】
また、水晶素子１２０は、水晶素子１２０の上面を平面視したとき、励振電極部１２５が振動部１２２の内側に設けられ、振動部１２２の一部が露出しており、露出している振動部１２２を挟むように位置している励振電極部１２５と振動部１２２の辺との距離が、振動部１２２で生じる屈曲振動の波長の整数倍となっている。このようにすることで、水晶素子１２０の長辺（Ｘ軸）に平行な向きで水晶素子１２０を断面視したとき、励振電極部１２５の縁部および振動部１２２の縁部を屈曲振動の節となるようにすることができる。従って、主振動である厚みすべり振動の振動状態が変化する部分、具体的には、励振電極部１２５が設けられている部分と励振電極部１２５が設けられていない部分の境界部分、および、振動部１２２と周辺部１２３との境界部分に、屈曲振動の節となる部分が位置することとなる。このため、主振動である厚みすべり振動の振動状態が変化する部分、具体的には、励振電極部１２５が設けられている部分と励振電極部１２５が設けられていない部分の境界部分、および、振動部１２２と周辺部１２３との境界部分において、副次的な振動による屈曲振動が主振動である厚みすべり振動へ与える影響を低減することが可能となる。この結果、周波数安定度の悪化や等価直列抵抗値の増大といった電気的特性の悪化を低減させることが可能となる。
【００４０】
また、水晶素子１２０は、水晶素子１２０の上面を平面視したとき、引出部１２６が略矩形形状となっており、所定の一辺に平行な引出部１２６の二辺のうち振動部１２２側に位置している引出部１２６の一辺と、所定の一辺に平行な振動部１２２の二辺のうち引出部１２６側に位置している振動部１２２の一辺との距離が、振動部１２２で生じる屈曲振動の波長の整数倍となっている。言い換えると、水晶素子１２０は、水晶素子１２０の上面を平面視したとき、水晶片１２１の所定の一辺に平行な辺であって、振動部１２２側を向く引出部１２６の辺と引出部１２６側を向く振動部１２２の辺との距離が、振動部１２２で生じる屈曲振動の波長の整数倍となっている。このようにすることで、水晶素子１２０を水晶デバイスとて用いる場合に、引出部１２６が導電性接着剤１４０で接着されるので、主振動である厚みすべり振動の振動状態が変化する、引出部１２６が設けられている平板部１２３ｂと引出部１２６が設けられていない平板部１２３ｂとの境界部分に、屈曲振動の節となる位置がくるようにすることができる。従って、主振動である厚みすべり振動の振動状態が変化する部分、具体的には、引出部１２６が設けられている部分と引出部１２６が設けられていない部分の境界部分の境界部分に、屈曲振動の節となる部分が位置することとなる。このため、主振動である厚みすべり振動の振動状態が変化する部分、具体的には、引出部１２６が設けられている平板部１２３ｂと引出部１２６が設けられていない平板部１２３ｂとの境界部分において、副次的な振動による屈曲振動が主振動である厚みすべり振動へ与える影響を低減することが可能となる。この結果、周波数安定度の悪化や等価直列抵抗値の増大といった電気的特性の悪化を低減させることが可能となる。
【００４１】
ここで、第一実施形態では、図３に示したように、水晶素子１２０を平面視して、水晶片１２１の所定の一辺に平行な振動部１２２の二辺間の距離を第一距離Ｄ１１とする。また、水晶素子１２０の上面を平面視して、水晶片１２１の所定の一辺と、所定の一辺に平行な振動部１２２の二辺のうち所定の一辺側に位置している振動部１２２の一辺との距離を第二距離Ｄ１２とする。また、水晶素子１２０の上面を平面視して、水晶片１２１の所定の一辺と、所定の一辺に平行な所定の他の一辺との距離を第三距離Ｄ１３とする。また、水晶素子１２０の下面を平面視して、引出部１２６が略矩形形状となっており、所定の一辺に平行な引出部１２６の二辺のうち振動部１２２側に位置している引出部１２６の一辺と、所定の一辺に平行な振動部１２２の二辺のうち引出部１２６側に位置している振動部１２２の一辺との距離を第四距離Ｄ１４とする。また、水晶素子１２０の上面を平面視して、水晶片１２１の中心Ｃ１１が振動部１２２の中心Ｃ１２より水晶片１２１の所定の一辺側に位置しており、振動部１２２の中心Ｃ１２と水晶片１２１の所定の一辺に平行な振動部１２２の辺との距離を第五距離Ｄ１５とする。また、水晶片１２１の所定の一辺に平行な励振電極部１２５の二辺間の距離を第六距離Ｄ１６とする。また、水晶素子１２０を平面視して、励振電極部１２５が振動部１２２の内側に設けられ、振動部１２２の一部が露出しており、露出している振動部１２２を挟むように位置している励振電極部１２５と振動部１２２の辺との距離を第七距離Ｄ１７とする。
【００４２】
第一実施形態に係る水晶素子１２０は、略直方体形状の振動部１２２と、振動部１２２の縁部に沿って振動部１２２の縁部に沿って振動部１２２より上下方向の厚みが薄い周辺部１２３とから構成され、平面視して略矩形形状の水晶片１２１と、振動部１２２に設けられている一対の励振電極部１２５と、水晶片１２１の所定の一辺に沿って並んで設けられている一対の引出部１２６と、励振電極部１２５と引出部１２６とを電気的に接続している配線部１２７と、からなる水晶素子１２０であって、水晶素子１２０を平面視して、水晶片１２１の所定の一辺に平行な振動部１２２の辺上に、振動部１２２で生じる屈曲振動の節が位置しており、水晶片１２１の所定の一辺に平行な振動部１２２の二辺間の距離が、振動部１２２で生じる屈曲振動の波長の整数倍となっている。言い換えると、第一距離Ｄ１１が、振動部１２２で生じる屈曲振動の波長の整数倍となっている。このような構成にすることで、引出部１２６および配線部１２７を介して励振電極部１２５に電圧を印加したとき、主振動である厚みすべり振動の振動状態が変化する部分、具体的には、振動部１２２と周辺部１２３との境界部分に、屈曲振動の節となる部分が位置するようにすることとなる。従って、主振動である厚みすべり振動の振動状態が変化する部分、具体的には、振動部１２２と周辺部１２３との境界部分において、副次的な振動である屈曲振動が主振動である厚みすべり振動へ与える影響を低減させることができ、周波数安定度の悪化や等価直列抵抗値の増大といった電気的特性の悪化を低減させることが可能となる。
【００４３】
また、第一実施形態に係る水晶素子１２０は、水晶素子１２０の上面を平面視して、水晶片１２１の所定の一辺と、所定の一辺に平行な振動部１２２の二辺のうち所定の一辺側に位置している振動部１２２の一辺との距離が、振動部１２２で生じる屈曲振動の波長の整数倍となっている。言い換えると、第二距離Ｄ１２が、振動部１２２で生じる屈曲振動の波長の整数倍となっている。つまり、第一実施形態に係る水晶素子１２０は、水晶素子１２０の上面を平面視して、水晶片１２１の所定の一辺と、水晶片１２１の所定の一辺に近接している振動部１２２の一辺との距離が、振動部１２２で生じる屈曲振動の波長の整数倍となっている。このような構成にすることで、引出部１２６および配線部１２７を介して励振電極部１２５に電圧を印加したとき、主振動である厚みすべり振動の振動状態が変化する部分、具体的には、水晶片１２１の所定の一辺の縁部に、屈曲振動の節となる部分が位置するようにすることができる。従って、主振動である厚みすべり振動の振動状態が変化する部分、具体的には、水晶片１２１の所定の一辺の縁部において、副次的な振動である屈曲振動が水晶片１２１の側面に反射し、厚みすべり振動へ与える影響を低減させることができ、周波数安定度の悪化や等価直列抵抗値の増大といった電気的特性の悪化を低減させることが可能となる。
【００４４】
また、第一実施形態に係る水晶素子１２０は、水晶素子１２０の上面を平面視して、水晶片１２１の所定の一辺と、所定の一辺に平行な所定の他の一辺との距離が、振動部１２２で生じる屈曲振動の波長の整数倍となっている。言い換えると、第三距離Ｄ１３が振動部１２２で生じる屈曲振動の波長の整数倍となっている。このような構成にすることで、引出部１２６および配線部１２７を介して励振電極部１２５に電圧を印加したとき、主振動である厚みすべり振動の振動状態が変化する部分、具体的には、水晶片１２１の所定の一辺および所定の他の一辺（水晶片１２１のＺ´軸に平行な二辺）の縁部に、屈曲振動の節となる部分が位置するようにすることができる。従って、主振動である厚みすべり振動の振動状態が変化する部分、具体的には、水晶片１２１の所定の一辺および水晶片１２１の所定の他の一辺（水晶片１２１のＺ´軸に平行な二辺）の縁部において、副次的な振動である屈曲振動が水晶片１２１の側面で反射し、厚みすべり振動へ与える影響を低減させることができ、周波数安定度の悪化や等価直列抵抗値の増大といった電気的特性の悪化を低減させることが可能となる。
【００４５】
また、第一実施形態に係る水晶素子１２０は、水晶素子１２０の下面を平面視して、引出部１２６が略矩形形状となっており、所定の一辺に平行な引出部１２６の二辺のうち振動部１２２側に位置している引出部１２６の一辺と、所定の一辺に平行な振動部１２２の二辺のうち引出部１２６側に位置している振動部１２２の一辺との距離が、振動部１２２で生じる屈曲振動の波長の整数倍となっている。言い換えると、第四距離Ｄ１４が、振動部１２２で生じる屈曲振動の波長の整数倍となっている。
【００４６】
前述したように、第一実施形態に係る水晶素子１２０は、水晶デバイスとして用いる場合、水晶片１２１の下面の所定の一辺に並んで設けられている一対の引出部１２６が導電性接着剤１４０により接着されることとなる。従って、第一実施形態に係る水晶素子１２０は、水晶デバイスとして用いる場合、引出部１２６が設けられている平板部１２３ｂの一部分と引出部１２６が設けられていない平板部１２３ｂの一部分との境界において、主振動である厚みすべり振動の振動状態が変化することとなる。このため、前述したように、所定の一辺に平行な引出部１２６の二辺のうち振動部１２２側に位置している引出部１２６の一辺と、所定の一辺に平行な振動部１２２の二辺のうち引出部１２６側に位置している振動部１２２の一辺との距離が、振動部１２２で生じる屈曲振動の波長の整数倍とすることで、主振動である厚みすべり振動の振動状態が変化する境界部分、具体的には、引出部１２６が設けられている平板部１２３ｂと引出部１２６が設けられていない平板部１２３ｂとの境界部分に、屈曲振動の節となる位置がくるようにすることができる。従って、主振動である厚みすべり振動の振動状態が変化する部分、具体的には、引出部１２６が設けられている部分と引出部１２６が設けられていない部分の境界部分に、屈曲振動の節となる部分が位置することとなる。このため、主振動である厚みすべり振動の振動状態が変化する部分、具体的には、引出部１２６が設けられている平板部１２３ｂと引出部１２６が設けられていない平板部１２３ｂとの境界部分において、副次的な振動による屈曲振動が主振動である厚みすべり振動へ与える影響を低減することが可能となる。この結果、周波数安定度の悪化や等価直列抵抗値の増大といった電気的特性の悪化を低減させることが可能となる。
【００４７】
また、第一実施形態に係る水晶素子１２０は、水晶素子１２０の上面を平面視して、水晶片１２１の中心Ｃ１１が振動部１２２の中心Ｃ１２より水晶片１２１の所定の一辺側に位置しており、振動部１２２の中心Ｃ１２と水晶片１２１の所定の一辺に平行な振動部１２２の辺との距離が振動部１２２で生じる屈曲振動の波長の整数倍となっている。言い換えると、第五距離Ｄ１５が、振動部１２２で生じる屈曲振動の波長の整数倍となっている。このように、水晶素子１２０の上面を平面視して、水晶片１２１の中心Ｃ１１が振動部１２２の中心Ｃ１２より水晶片１２１の所定の一辺側に位置させることで、水晶片１２１の上面を平面視して、振動部１２２の中心Ｃ１２から一方の短辺までの距離は、水晶片１２１の中心Ｃ１１から一方の短辺までの距離と比較して、長くすることができる。このため、第一実施形態に係る水晶素子１２０を水晶デバイスとして用いる場合、水晶片１２１の一方の短辺の両端部が導電性接着剤１４０により接着される状態となるため、導電性接着剤１４０から振動部１２１の中心Ｃ１２までの距離を、水晶片の中心と振動部の中心とが一致している場合と比較して、長くすることができる。この結果、導電性接着剤１４０により接着することによる振動部１２２の振動阻害を低減させることができ、振動阻害による等価直列抵抗が大きくなるといった電気的特性の悪化を低減させることが可能となる。
【００４８】
また、第一実施形態に係る水晶素子１２０は、水晶片１２１の上面を平面視して、振動部１２１の中心Ｃ１２と、水晶片１２１の所定の一辺に平行な振動部１２２の辺との距離が、振動部１２２で生じる屈曲振動の波長の整数倍となっている。このようにすることで、金属パターン１２４に電圧を印加し、副次的な振動である屈曲振動が生じた場合、水晶片１２１の所定の一辺に平行な振動部１２２の辺に沿った縁部および振動部１２２の中心Ｃ１２の中心付近に、屈曲振動の節となるようにすることができる。金属パターン１２４に電圧を印加したとき、金属パターン１２４に挟まれている部分、具体的には、励振電極部１２５に挟まれている振動部１２２の部分が最も振動する構成となっているので、主振動である厚みすべり振動は、励振電極部１２５に挟まれている振動部１２２の部分が最も振動することとなっているので、振動部１２２の中心Ｃ１２の中心付近に屈曲振動の節となる位置に設けることにより、副次的な振動である屈曲振動が主振動である厚みすべり振動へ与える影響を低減させることが可能となる。この結果、副次的な振動である屈曲振動の影響で、周波数安定度の悪化や等価直列抵抗値の増大といった電気的特性の悪化を低減させることができる。
【００４９】
また、第一実施形態に係る水晶素子１２０は、水晶素子１２０の上面を平面視して、励振電極部１２５が略矩形形状となっており、水晶片１２１の所定の一辺に平行な励振電極部１２５の二辺間の距離が、振動部１２２で生じる屈曲振動の波長の整数倍となっている。言い換えると、第六距離Ｄ１６が、振動部１２２で生じる屈曲振動の波長の整数倍となっている。このようにすることで、水晶片１２１の所定の一辺に平行な励振電極部１２５の辺の縁部に、屈曲振動の節となるようにすることができる。つまり、金属パターン１２４に電圧を印加したとき、励振電極部１２５に挟まれている振動部１２２の一部と励振電極部１２５に挟まれていない、つまり、露出している振動部１２２の一部との境界では、主振動である厚みすべり振動の振動状態が変化しているので、振動状態の変化する境界部分に屈曲振動の節となる部分が位置するようにしている。このため、副次的な振動である屈曲振動が主振動である厚みすべり振動へ与える影響を低減させることができ、周波数安定度の悪化や等価直列抵抗値の増大といった電気的特性の悪化を低減させることが可能となる。
【００５０】
また、第一実施形態に係る水晶素子１２０は、水晶素子１２０を平面視して、励振電極部１２５が振動部１２２の内側に設けられ、振動部１２２の一部が露出しており、露出している振動部１２２を挟むように位置している励振電極部１２５と振動部１２２の辺との距離が、振動部１２２で生じる屈曲振動の波長の整数倍となっている。言い換えると、第七距離Ｄ１７が、振動部１２２で生じる屈曲振動の波長の整数倍となっている。このようにすることで、水晶素子１２０の長辺（Ｘ軸）に平行な向きで水晶素子１２０を断面視したとき、励振電極部１２５の縁部および振動部１２２の縁部を屈曲振動の節となるようにすることができる。従って、主振動である厚みすべり振動の振動状態が変化する部分、具体的には、励振電極部１２５が設けられている部分と励振電極部１２５が設けられていない部分の境界部分、および、振動部１２２と周辺部１２３との境界部分に、屈曲振動の節となる部分が位置することとなる。このため、主振動である厚みすべり振動の振動状態が変化する部分、具体的には、励振電極部１２５が設けられている部分と励振電極部１２５が設けられていない部分の境界部分、および、振動部１２２と周辺部１２３との境界部分において、副次的な振動による屈曲振動が主振動である厚みすべり振動へ与える影響を低減することが可能となる。この結果、周波数安定度の悪化や等価直列抵抗値の増大といった電気的特性の悪化を低減させることが可能となる。
【００５１】
（第二実施形態）
第二実施形態に係る水晶素子２２０は、図６および図８に示したように、水晶素子２２０の上面を平面視したとき、励振電極部２２５の中心Ｃ２３と振動部２２２の中心Ｃ２２とが重なっていない点で第一実施形態と異なる。
【００５２】
第二実施形態に係る水晶片２２１は、図６〜図８に示したように、第一実施形態と同様に、振動部２２２および周辺部２２３から構成されている。
【００５３】
第二実施形態に係る金属パターン２２４は、励振電極部２２５、引出部２２６および配線部２２７から構成されている。引出部２２６および配線部２２７は、第一実施形態と同様の構成となっておいる。
【００５４】
励振電極部２２５は、振動部２２２に電圧を印加するためのものである。励振電極部２２５は、一対となっており、振動部２２２の両主面に互いが対向するように設けられている。従って、一対の励振電極部２２５に電圧が印加されると、一対の励振電極部２２５に挟まれている振動部２２２の一部分が最も振動することとなる。特に、主振動である厚みすべり振動は、水晶素子２２０を平面視して、励振電極部２２５の中心Ｃ２３で最も振動変位が大きくなっている。
【００５５】
励振電極部２２５は、水晶素子２２０の上面を平面視して、略矩形形状となっている。このとき、水晶素子２２０の上面を平面視して、水晶片２２１の所定の一辺に平行な励振電極部２２５の二辺間の距離が、金属パターン２２４に電圧を印加したとき振動部２２２で生じる屈曲振動の波長の整数倍となっている。このようにすることで、水晶片２２１の所定の一辺に平行な励振電極２２５の辺の縁部に、屈曲振動の節となる部分が位置するようにすることができる。つまり、金属パターン２２４に電圧を印加したとき、励振電極部２２５に挟まれている振動部２２２の一部と励振電極部２２５で挟まれていない振動部２２２の一部（露出している振動部２２２の一部）との境界部分では、主振動である厚みすべり振動の振動状態が変化しているので、振動状態が変化する境界部分に屈曲振動の節となる部分を位置するようにすることができる。このため、副次的な振動である屈曲振動が主振動である厚みすべり振動へ与える影響を低減させることができ、周波数安定度の悪化や等価直列抵抗値の増大といった電気的特性の悪化を低減させることが可能となる。
【００５６】
また、励振電極部２２５の大きさは、振動部２２２の上面の大きさより小さくなっており、振動部２２２の一部が露出した状態となっている。このとき、露出している振動部２２２を挟むように位置している励振電極部２２５と振動部２２２の辺の距離が、振動部２２２で生じる屈曲振動の波長の整数倍となっている。このようにすることで、水晶素子２２０の長辺（Ｘ軸）に平行な向きで水晶素子２２０を断面視したとき、励振電極部２２５の縁部および振動部２２２の縁部を屈曲振動の節となるようにすることができる。従って、主振動である厚みすべり振動の振動状態が変化する部分、具体的には、励振電極部２２５が設けられている部分と励振電極部２２５が設けられていない部分の境界部分、および、振動部２２２と周辺部２２３との境界部分に、屈曲振動の節となる部分が位置することとなる。このため、主振動である厚みすべり振動の振動状態が変化する部分、具体的には、励振電極部２２５が設けられている部分と励振電極部２２５が設けられていない部分の境界部分、および、振動部２２２と周辺部２２３との境界部分において、副次的な振動による屈曲振動が主振動である厚みすべり振動へ与える影響を低減することが可能となる。この結果、周波数安定度の悪化や等価直列抵抗値の増大といった電気的特性の悪化を低減させることが可能となる。
【００５７】
また、励振電極部２２５の中心Ｃ２３は、水晶素子２２０の上面を平面視して、仮想垂線ＣＬ２１（水晶片２２１の所定の一辺の中点Ｍ２１を通過する所定の一辺の垂線）上に位置しつつ、振動部２２２の中心Ｃ２２と異なる位置に位置している。このとき、振動部２２２の中心Ｃ２２は、励振電極部２２５の中心Ｃ２３より水晶片２２１の所定の一辺側に位置している。従って、励振電極部２２５の中心Ｃ２３から水晶片２２１の所定の一辺までの距離が振動部２２２の中心Ｃ２２から水晶片２２１の所定の一辺までの距離と比較して長くなっている。このため、水晶片２２１の一方の短辺の両端部を導電性接着材で接着し、水晶素子２２０を水晶デバイスとして用いる場合、最も振動変位が大きい励振電極部２２５の中心Ｃ２３を導電性接着材で接着される部分から離れるようにすることができる。この結果、導電性接着剤による影響、具体的には、導電性接着剤で接触されたことによる主振動である厚みすべり振動への振動阻害を低減させることができ、等価直列抵抗値が大きくなることを低減させることが可能となる。
【００５８】
このとき、水晶素子２２０を平面視して、振動部２２２の中心Ｃ２２と励振電極部２２５の中心Ｃ２３との距離が、振動部２２２で生じる屈曲振動の波長の整数倍となっている。このようにすることで、励振電極部２２５の中心Ｃ２３および振動部２２２の中心Ｃ２２に屈曲振動の節となる部分を位置するようにすることができる。前述したように、金属パターン２２４に電圧を印加したとき、主振動である厚みすべり振動の振動変位は励振電極部２２５の中心Ｃ２３付近が最も大きいため、励振電極部２２５の中心Ｃ２３に屈曲振動の節となる位置にすることで、副次的な振動である屈曲振動が主振動である厚みすべり振動への影響を低減させることが可能となる。この結果、この結果、周波数安定度の悪化や等価直列抵抗値の増大といった電気的特性の悪化を低減させることが可能となる。
【００５９】
励振電極部２２５は、水晶素子２２０の上面を平面視して、仮想垂線ＣＬ２１（水晶片２２１の一方の短辺の中点Ｍ２１を通過する一方の短辺の垂線）に対し、線対称となっている。このような構成にすることで、励振電極部２２５に電圧を印加したとき、励振電極部２２５に蓄えられる電荷も仮想垂線ＣＬ２１に対し、線対称となっているので、励振電極部２２５に挟まれている振動部２２２の一部を振動させるための振動エネルギーを仮想垂線ＣＬ２１に対し線対称に分布させることができる。このため、励振電極部２２５に電圧を印加したとき、振動バランス（振動の状態）を仮想垂線ＣＬ２１に対し線対称となるように分布させることができ、印加する電圧に対し効率よく振動させることができ、等価直列抵抗値が大きくなるといった電気的特性の悪化を低減させることが可能となる。
【００６０】
ここで、第二実施形態では、図８に示したように、水晶素子２２０を平面視して、水晶片２２１の所定の一辺に平行な振動部２２２の二辺間の距離を第一距離Ｄ２１とする。また、水晶素子２２０の上面を平面視して、水晶片２２１の所定の一辺と、所定の一辺に平行な振動部２２２の二辺のうち所定の一辺側に位置している振動部２２２の一辺との距離を第二距離Ｄ２２とする。また、水晶素子２２０の上面を平面視して、水晶片２２１の所定の一辺と、所定の一辺に平行な所定の他の一辺との距離を第三距離Ｄ２３とする。また、水晶素子２２０の下面を平面視して、引出部２２６が略矩形形状となっており、所定の一辺に平行な引出部２２６の二辺のうち振動部２２２側に位置している引出部２２６の一辺と、所定の一辺に平行な振動部２２２の二辺のうち引出部２２６側に位置している振動部２２２の一辺との距離を第四距離Ｄ２４とする。また、水晶素子２２０の上面を平面視して、水晶片２２１の中心Ｃ２１が振動部２２２の中心Ｃ２２より水晶片２２１の所定の一辺側に位置しており、振動部２２２の中心Ｃ２２と水晶片２２１の所定の一辺に平行な振動部２２２の辺との距離を第五距離Ｄ２５とする。また、水晶片２２１の所定の一辺に平行な励振電極部２２５の二辺間の距離を第六距離Ｄ２６とする。また、水晶素子２２０を平面視して、励振電極部２２５が振動部２２２の内側に設けられ、振動部２２２の一部が露出しており、露出している振動部２２２を挟むように位置している励振電極部２２５と振動部２２２の辺との距離を第七距離Ｄ２７とする。また、水晶素子２２０を平面視して、振動部２２２の中心Ｃ２２が、励振電極部２２５の中心Ｃ２３より水晶片２２１の所定の一辺側に位置しており、励振電極部２２５の中心Ｃ２３と水晶片２２１の所定の一辺に平行な振動部２２２の辺との振動部２２２の中心Ｃ２２と励振電極部２２５の中心Ｃ２３の距離を第八距離Ｄ２８とする。
【００６１】
第二実施形態では、第一距離Ｄ２１、第二距離Ｄ２２、第三距離Ｄ２３、第四距離Ｄ２４、第五距離Ｄ２５、第六距離Ｄ２６および第七距離Ｄ２７が、振動部２２２で生じる屈曲振動の波長の整数倍となっているので、第一実施形態と同様の効果を奏する。  
【００６２】
第二実施形態に係る水晶素子２２０は、水晶素子２２０を平面視して、振動部２２２の中心Ｃ２２が、励振電極部２２５の中心Ｃ２３より水晶片２２１の所定の一辺側に位置しており、励振電極部２２５の中心Ｃ２３と水晶片２２１の所定の一辺に平行な振動部２２２の辺との振動部２２２の中心Ｃ２２と励振電極部２２５の中心Ｃ２３の距離が、振動部２２２で生じる屈曲振動の波長の整数倍となっている。言い換えると、第八距離Ｄ１８が、振動部２２２で生じる屈曲振動の波長の整数倍となっている。このようにすることで、励振電極部２２５の中心Ｃ２３および振動部２２２の中心Ｃ２２に屈曲振動の節となる部分を位置するようにすることができる。前述したように、金属パターン２２４に電圧を印加したとき、主振動である厚みすべり振動の振動変位は励振電極部２２５の中心Ｃ２３付近が最も大きいため、励振電極部２２５の中心Ｃ２３に屈曲振動の節となる位置にすることで、副次的な振動である屈曲振動が主振動である厚みすべり振動への影響を低減させることが可能となる。この結果、この結果、周波数安定度の悪化や等価直列抵抗値の増大といった電気的特性の悪化を低減させることが可能となる。
【符号の説明】
【００６３】
１１０・・・基板部
１１１・・・搭載パッド
１１２・・・外部端子
１２０，２２０・・・水晶素子
１２１、２２１・・・水晶片
１２２、２２２・・・振動部
１２３、２２３・・・周辺部
１２３ａ、２２３ａ・・・傾斜部
１２３ｂ、２２３ｂ・・・平板部
１２４，２２４・・・金属パターン
１２５、２２５・・・励振電極部
１２６、２２６・・・引出部
１２７、２２７・・・配線部
１３０・・・蓋体
１４０・・・導電性接着剤
Ｄ１１，Ｄ２１・・・第一距離
Ｄ１２、Ｄ２２・・・第二距離
Ｄ１３、Ｄ２３・・・第三距離
Ｄ１４、Ｄ２４・・・第四距離
Ｄ１５、Ｄ２５・・・第五距離
Ｄ１６、Ｄ２６・・・第六距離
Ｄ１７、Ｄ２７・・・第七距離
Ｄ２８・・・第八距離
【図１】
0006591846.tif 000002
【図２】
0006591846.tif 000003
【図３】
0006591846.tif 000004
【図４】
0006591846.tif 000005
【図５】
0006591846.tif 000006
【図６】
0006591846.tif 000007
【図７】
0006591846.tif 000008
【図８】
0006591846.tif 000009